(57)【要約】【課題】  片手操作でも、肥料を土の中や砂地の中に深く効率よく供給することができる。【解決手段】  筒状本体４の先端側に突き刺し部２Ａ，２Ｂが取り付けられ、後端側に操作部が取り付けられ、筒状本体４の内部４ａに肥料容器３からの肥料を供給するとともに、供給量を調節するための調節弁７を配置して、前記操作ワイヤや操作バーなどの連係動作手段８ａ，８ｂを前記一対の突き刺し部の他方２Ｂに連結させるとともに、前記調節弁７と連結させて引き出して操作部６ａ，６ｂと連結させて、操作部６ａ，６ｂで前記突き刺し部２Ａ，２Ｂの開閉手段とともに調節弁７の開閉動作を同時に行なう。【選択図】  図２
2016136874.tif 000002
【特許請求の範囲】
【請求項１】
筒状本体の先端側に一対の突き刺し部が取り付けられ、後端側に操作部が取り付けられ、前記筒状本体の内部に肥料容器からの肥料を供給するとともに供給量を調節するための調節弁を配置して、操作ワイヤや操作バーなどの連係動作手段を前記一対の突き刺し部の一方に連結させるとともに、前記調節弁と連結させて引き出して操作部と連結させて、前記操作部で前記突き刺し部の開閉手段とともに調節弁の開閉動作を行なうことを特徴とする肥料供給具。
【請求項２】
前記突き刺し部の一方が操作ワイヤや操作バーなどの前記連係動作手段と連結されており、前記筒状本体の調節弁を介して、前記突き刺し部の他方の刃の位置とは前記筒状本体を介して反対側から操作ワイヤや操作バーなどの前記連係動作手段を引き出して前記操作部で操作することを特徴とする請求項１記載の肥料供給具。
【請求項３】
前記一対の突き刺し部の一方と前記筒状本体の調節弁とが連結されて、これらと連結される操作ワイヤや操作バーなどの前記連係動作手段を引き出して前記操作部で操作することを特徴とする請求項１または２記載の肥料供給具。
【請求項４】
前記調節弁は、前記筒状本体の内部における斜めの角度では前記筒状本体内の肥料を停止し、前記筒状本体に沿うように平行度を高くすることにより前記筒状本体内の肥料を前記一対の突き刺し部に向かって送り出すことを特徴とする請求項１記載の肥料供給具。
【請求項５】
操作ワイヤや操作バーなどの前記連係動作手段は、前記筒状本体の外部に配置され、前記筒状本体内の前記調節弁と連結する連結部材を介して連結されていることを特徴とする請求項１記載の肥料供給具。
【請求項６】
前記一対の突き刺し部は一対の刃で構成され、その一方の刃をその先端に向かって先鋭に形成し、他方の刃を前記筒状本体と対向するように取り付けるとともに、操作ワイヤや操作バーなどの前記連係動作手段の一方を前記一対の突き刺し部の他方に連結させることを特徴とする請求項１記載の肥料供給具。
【発明の詳細な説明】
【技術分野】
【０００１】
本発明は、土や砂地に対して肥料を供給する肥料供給具に関する。
【背景技術】
【０００２】
耕作地や家庭菜園等において、土や砂地に対して肥料を供給する際に、土や砂地の上に肥料を散布するほかに、土や砂地に穴を開けてから肥料を供給することが必要になる場合がある。また、植林を行う際にも、土や砂地に穴を開けて肥料を供給してから植林を行う場合もある。
【０００３】
特許文献１〜４には、一本の棒形状の本体とは、別に肥料容器をパイプを介して突き刺し部に供給することや、カバーと操作ワイヤや操作バーなどの連係動作手段とで突き刺し部を各々操作する肥料供給具が開示されている。
【先行技術文献】
【特許文献】
【０００４】
【特許文献１】実公平０２−０３６３２７号公報
【特許文献２】特開２００４−３０５１６９号公報
【特許文献３】特開平１０−０８４７２７号公報
【特許文献４】特許第４８４５９２９号公報
【発明の開示】
【発明が解決しようとする課題】
【０００５】
しかしながら、特許文献１〜４に記載の従来技術では、棒形状の本体とは別に肥料容器を突き刺し部に供給する操作と、カバーと操作ワイヤや操作バーなどの連係動作手段とで突き刺し部を操作することの両方の操作を行なうので、部品点数が多くなり、このため装置が大型化していた。特に、家庭菜園などで、片手操作で簡単に上記操作が行なうことが要求されるが、特許文献１〜４では、かかる要求にこたえるものではなかった。また、特許文献１〜４では、一対の突き刺し部が装置本体とは別個のものを取り付けているので（また、肥料容器にも排出量を調節するための栓などが設けられている。）、その取り付けが複雑であるとともに、本体からの肥料がスムーズに流れないことや、取り付け箇所から外部にこぼれる事態が生じていた。さらに、特許文献１〜４では、土や砂地に対して上方から突き刺すように使用するものであるが、壁に配置された花壇や鉢植えなどの平行に近い角度で使用する場合には、肥料が供給し難くなる問題点を有していた。
【０００６】
そこで本発明の目的は、片手操作でも、肥料を土の中や砂地の中に深く効率よく供給することができ、壁に配置された花壇や鉢植えなどの平行に近い角度で使用する場合にも、スムーズに肥料を供給することができる肥料供給具を提供することにある。
【課題を解決するための手段】
【０００７】
本発明の肥料供給具は、筒状本体の先端側に一対の突き刺し部が取り付けられ、後端側に操作部が取り付けられ、前記筒状本体の内部に肥料容器からの肥料を供給するとともに供給量を調節するための調節弁を配置して、操作ワイヤや操作バーなどの連係動作手段を前記一対の突き刺し部の一方に連結させるとともに、前記調節弁と連結させて引き出して操作部と連結させて、前記操作部で前記突き刺し部の開閉手段とともに調節弁の開閉動作を行なうことを特徴とする。
本発明によれば、供給手段からの肥料は筒状本体の内部を通過して前記調節弁で停止状態になるが、前記操作部での突き刺し部の操作をすると、前記操作ワイヤや操作バーなどの連係動作手段を動かすと、前記調節弁を動かして、停止状態の肥料を、解放される一対の突き刺し部へと供給して、一対の突き刺し部で開口した土や砂地に対して供給される。したがって、従来のように、突き刺し部の開閉操作と肥料の供給動作との両方の操作を別々に行なう必要がないので、突き刺し部の開閉操作と肥料の開閉供給動作とを片手操作で行なうことが可能になる。
【０００８】
本発明は、前記突き刺し部の一方が操作ワイヤや操作バーなどの前記連係動作手段と連結されており、前記筒状本体の調節弁を介して、前記突き刺し部の他方の刃の位置とは前記筒状本体を介して反対側から操作ワイヤや操作バーなどの前記連係動作手段を引き出して前記操作部で操作することを特徴とする。ここで、前記操作ワイヤや操作バーなどの連係動作手段としては、斜めの部分を有するＺ字型のリンク機構などが使用可能である。
本発明によれば、調節弁を中心にして、前記突き刺し部の他方の刃の位置とは筒状本体を介して反対側から前記操作ワイヤや操作バーなどの連係動作手段を引き出すので、前記連係動作部材の動作範囲を長くして前記操作部で操作することが容易になる。
【０００９】
本発明は、前記一対の突き刺し部の一方と前記筒状本体の調節弁とが連結されて、これらと連結される操作ワイヤや操作バーなどの前記連係動作手段を引き出して前記操作部で操作することを特徴とする。
本発明によれば、前記突き刺し部の他方と前記筒状本体の調節弁とが連結されるために、突き刺し部の開閉操作と肥料の開閉供給動作とが確実に同時に行なうことが可能になる。
【００１０】
本発明は、前記調節弁は、前記筒状本体の内部における斜めの角度では前記筒状本体内の肥料を停止し、前記筒状本体に沿うように平行度を高くすることにより前記筒状本体内の肥料を前記一対の突き刺し部に向かって送り出すことを特徴とする。
本発明によれば、調節弁は筒状本体の内部における斜めの角度で配置されているので、前記操作部の操作で調節弁は速やかに開き、肥料を送り出し、調節弁を閉じるときも、前記操作部の操作で速やかに調節弁が速やかに閉塞することになる。
【００１１】
本発明は、操作ワイヤや操作バーなどの前記連係動作手段は、前記筒状本体の外部に配置され、前記筒状本体内の前記調節弁と連結する連結部材を介して連結されていることを特徴とする。
本発明によれば、調節弁は、筒状本体内に配置されるが、調節弁を駆動させる部材は、筒状本体の外部に配置できるので、例えば、液体状の肥料の場合でも、カバー等を別途用いる必要がなくなる。
【００１２】
本発明は、前記一対の突き刺し部は一対の刃で構成され、その一方の刃をその先端に向かって先鋭に形成し、他方の刃を前記筒状本体と対向するように取り付けるとともに、操作ワイヤや操作バーなどの前記連係動作手段の一方を前記一対の突き刺し部の他方に連結させることを特徴とする。ここで、他方の刃についても、前記筒状本体の先端を先鋭に切断したものを使用可能である。
本発明によれば、前記筒状本体の先端を先鋭に切断して一対の突き刺し部の一方の刃を形成しているので、筒状本体と一対の突き刺し部の一方とは連結されているので、筒状本体からの肥料はスムーズに送られる。また、別途一対の突き刺し部を取り付ける必要がないので、部品点数の削減が図られる。
【発明の効果】
【００１３】
本発明によれば、操作部を操作すると、筒状本体内の調節弁を駆動させると共に一対の突き刺し部の他方の刃を同時に駆動させるので、従来のように、突き刺し部の開閉操作と肥料の供給動作との両方の操作を別々に行なう必要がなくなり、片手操作でも、突き刺し部の開閉操作と肥料の供給動作を操作部で操作可能になる。また、装置の部品点数が少なくなり、装置の小型化が図られる。
【図面の簡単な説明】
【００１４】
【図１】本発明の第１の実施の形態である肥料供給具を示す正面図である。
【図２】上記第１の実施の形態の肥料供給具の使用例を示す側面図である。
【図３】上記第１の実施の形態の肥料供給具の他の使用例を示す背面図である。
【図４】上記第１の実施の形態の調節弁の動きを説明する断面図である。
【図５】上記第１の実施の形態の調節弁の他の例を示す図である。
【図６】上記第１の実施の形態の肥料供給具の使用状態を説明する図である。
【図７】本発明の第２の実施の形態である肥料供給具を示す断面図である。
【図８】上記第２の実施の形態の他の肥料供給具の例を示す断面図である。
【図９】上記第２の実施の形態の他の肥料供給具の例を示す断面図である。
【発明を実施するための形態】
【００１５】
以下、本発明を実施するための形態を図面に基づいて説明する。
【００１６】
（第１の実施の形態）
図１は、本発明に係る第１の実施の形態の肥料供給具１の正面図であり、図２は側面図であり、図３は背面図である。図４（ａ）と図４（ｂ）は、筒状本体の内部を示す図であり、図６は、実物の図である。第１の実施の形態は、土や砂地に対して穴を開ける突き刺し部２Ａ，２Ｂと、突き刺し部２Ａ，２Ｂを操作する操作バーなどの連係動作手段８ａ，８ｂと、連係動作手段８ａ，８ｂを操作する操作部６ａ，６ｂと、これらが取り付けられる筒状本体４を備える肥料供給具１である。肥料容器３は、ペットボトルが着脱自在に筒状本体４の連結口４ｂに取り付けられている。本実施の形態では、ペットボトルが取り付けられているが、背中に背負うタンクなどから肥料を供給して、筒状本体４の連結口４あに連結させるものでも良い。本実施の形態では、家庭菜園などに使用される小型のもので、片手で操作可能な構造であり、水平配置構成（ピストル型）にも適する構造になっている。
【００１７】
突き刺し部２Ａ，２Ｂは、土や砂地に対して穴を開ける金属製のもので、対向する一対の突き刺し部２Ａ，２Ｂとして構成されている。一対の突き刺し部２Ａ，２Ｂは、その基端側は各々断面がほぼ半円形状であり、先端に向かって円また、一対の突き刺し部２Ａ，２Ｂは、バネ６で連結され、このバネ６の付勢力でもって互いの突き刺し部２Ａ，２Ｂが強力に開閉する構造になっている。一対の突き刺し部２Ａ，２Ｂの一方は、筒状本体４である内部中空の角型パイプを先鋭に切り欠いて構成されている。本発明によれば、前記筒状本体４の先端を先鋭に切断して一対の突き刺し部２Ａ，２Ｂの一方の刃２Ａを形成しているので、筒状本体と一対の突き刺し部２Ａ，２Ｂの一方２Ａとは連結されているので、筒状本体４からの肥料はスムーズに送られる。また、別途一対の突き刺し部２Ａ，２Ｂを取り付ける必要がないので、部品点数の削減が図られる。
【００１８】
筒状本体４は、内部中空の角型パイプで構成され、その先端側に突き刺し部２Ａ，２Ｂが形成され、後方側に操作部６ａ，６ｂが形成されている。筒状本体４は、金属製等の内部中空のもので、操作部４ａの中央には、操作ワイヤや操作バーなどの連係動作手段８ａ，８ｂが筒状本体に沿うように配されるカバー５内に取り付けられている。操作ワイヤや操作バーなどの連係動作手段８ａ，８ｂは、突き刺し部２Ａ，２Ｂの他方の刃２Ｂを動かすために連結されるとともに、調節弁７と連結されて、連係動作手段８ａ，８ｂの後方側８ｃの操作部６ａ，６ｂと連結されている。後方側の操作部６ａ，６ｂは、その一方の指掛け部６ｂを引くと、操作ワイヤや操作バーなどの連係動作手段８ａ，８ｂが引っ張られて、突き刺し部２Ａ，２Ｂの一方側２Ａを開閉操作する。一対の操作部６ａ，６ｂは、バネで連結され、このバネの付勢力でもって互いの突き刺し部２Ａ，２Ｂが強力に開閉する構造になっている。筒状本体の後方側には、肥料容器３が取り付けられている。
【００１９】
筒状本体４の内部に調節弁７が取り付けられている。調節弁７は、板状のゴムで構成され、操作ワイヤや操作バーなどの連係動作手段８ａ，８ｂが連結され、筒状本体４の先端側の内部４ａにおいて、前記連係動作手段８ａ，８ｂの操作で調節弁７を移動させて、肥料の排出量を調整する。すなわち、連係動作手段８ａ，８ｂは、前方側の斜めに配置される連係動作手段８ａと、筒状本体４に沿って配される連係動作手段８ｂとが、リンク式に稼動するもので（Ｚ型の駆動機構）、このリンク機構８の先端側の斜め配置の連係動作手段８ａの近傍で、調節弁の斜め後端と連結されるとともに、突き刺し部２Ａ，２Ｂの他方２Ｂと連結され、調節弁７を斜め姿勢において、下方に押し下げるような動きをさせる。そして、調節弁７は、筒状本体４の内部４ａにおける斜めの角度で配置されており、この斜め配置では筒状本体４の内部４ａの肥料を停止させ、筒状本体４に沿うように平行度を高くすることにより筒状本体内の肥料を一対の突き刺し部２Ａ，２Ｂに向かって送り出す。また、調節弁７を中心にして、前記突き刺し部の他方の刃の位置とは反対側から操作ワイヤや操作バーなどの連係動作手段８ａ，８ｂを介して引き出して前記操作部６ａ，６ｂで操作することで、調節弁７は、筒状本体４の内部４ａにおいて、斜めの角度を変化させて、肥料を停止させたり、排出したりする（図４（ａ）（ｂ））。筒状本体４は、断面が四角形の角型パイプであり、ここに矩形状の調節弁が嵌り込むようにして駆動可能に取り付けられているが、筒状本体は断面が円であっても楕円であっても良く、これに対して調節弁７もこれに嵌り込むような形状で駆動可能なものでも良い。
【００２０】
本実施の形態では、前記突き刺し部の他方１Ｂと前記筒状本体の調節弁７とが連結されて、これらと連結される前記操作ワイヤや操作バーなどの連係動作手段８ａ，８ｂを引き出して前記操作部６ａ，６ｂで操作する。したがって、突き刺し部２Ａ，２Ｂの開閉操作と肥料の開閉供給動作とが確実に同時に行なうことが可能になる。また、前記突き刺し部の他方１Ｂと前記筒状本体の調節弁７とが連結されていると、筒所本体４に前記連係動作手段８ａ，８ｂを引き出すために貫通穴を形成しても、その穴を突き刺し部２Ａ，２Ｂの他方２Ｂで覆い隠すようにすることができる。
また、上記構造により、調節弁７を中心にして、前記突き刺し部の他方の刃２Ｂの位置とは反対側から前記操作ワイヤや操作バーなどの連係動作手段８ａ，８ｂを引き出すが、前記操作ワイヤや操作バーなどの連係動作手段８ａ，８ｂとしては、斜めの部分を有するＺ字型のリンク機構８ａ，８ｂなどが使用可能である。すなわち、Ｚ型に屈曲するリンク機構８ａ，８ｂの中央の斜めの部材８ａで前記調節弁７と連結させていることで、前記連係動作部材８ａ，８ｂの動作範囲を長くして前記操作部で確実な操作が可能になる。
【００２１】
本実施の形態の肥料供給具１を実際に使用するときは、例えば、ペットボトルの肥料容器３に肥料を入れて、肥料容器３から予め筒状本体４の内部４ａの調節弁７の位置まで肥料を供給しておく。そして、操作部６ａ，６ｂを把持しながらその一方を引くと、操作ワイヤや操作バーなどの連係動作手段８ａ，８ｂを介して他方の突き刺し部２Ｂを開操作させると、この動作と同時に調節弁７が開口されて、一対の突き刺し部２Ａ，２Ｂの一方の刃２Ａに沿って肥料が排出される。すなわち、広げられた一対の突き刺し部２Ａ，２Ｂの間に肥料を供給することができる。他方、操作部６ａを操作して、一対の突き刺し部の他方を閉じると、この動作と同時に連係動作手段８ａ，８ｂを介して、この動作と同時に調節弁７が閉塞されて、肥料が調節弁の位置で停止する。
【００２２】
（第２の本実施の形態）
図７は、第２の実施の形態の肥料供給具１を示す断面図である。第２の実施の形態では、連係動作手段８ａ，８ｂが筒状本体４の外部において配置されている。すなわち、第１の実施の形態では、連係動作手段８ａ，８ｂが筒状本体４を貫通している構成であるが、液状の肥料であると、その貫通箇所から液体の肥料が漏れるおそれがある。しかし、本実施の形態では、調節弁７は、筒状本体４の内部４ａに配置されるが、調節弁７を駆動させる部材８ａ，８ｂは、筒状本体４の外部に配置して、連結部材９を介して調節弁７できるので、液体状の肥料の場合でも、カバー等を別途用いる必要がなくなる。そして、図８に示すように、筒状本体４に沿うようにして、二本の連係動作手段８ａ，８ｂを配置して、連結部材９を介して両方から調節弁７を挟み込むように連結すれば、一対の突き刺し部２Ａ，２Ｂの稼動動作と調節弁７の開閉動作をより安定した動作瀬で行うことができるとともに、装置のバランスも保てるようになる。なお、連係動作手段８ａ，８ｂを筒状本体４の内部４ａに配置して、顆粒状等の肥料を混ぜ合わせるために使用することも可能である。
【００２３】
ここで、調節弁７としては、図９に示すように、筒状本体４に沿って配される連係動作手段８ａ，８ｂに連結されるもので、予め斜め姿勢に配されており、筒状本体４の内部４ａのほぼ中央の軸Ｊに対して連結されるとともに、連係動作手段８ａ，８ｂの一方の斜め配置の連係動作手段８ａと軸Ｊを介して連結させて、調節弁７の回転により、筒状本体４の内部４ａの両側からリンク式に稼動するものでも良い。
また、本実施の形態では、前記筒状本体の調節弁７は複数設置させることができる。例えば、図９に示すように、前記操作ワイヤや操作バーなどの連係動作手段８ａ，８ｂの中途部に調節弁７Ｃをリンク機構が機能するように軸Ｊを介して設けたり、又、更に前記突き刺し部の他方２Ｂと前記調節弁７Ｃとが連結させたりして（同じ軸Ｊに２つの調節弁７，７Ｂを設けることも可能）、これらと前記調節弁７との傾斜角度を変更することで、前記突き刺し部２Ａ，２Ｂからの肥料の供給量を更に細かく調節することが可能である。
【００２４】
以上、本実施の形態では、別に水の容器を更に備えたり、肥料容器３に水の容器を更に備えたりすることは実施に応じ可能である。また、家庭菜園用のものとして説明したが、大型に構成して、植林等の際の肥料供給具に使用することも可能である。
【符号の説明】
【００２５】
１                本発明の肥料供給具、
２Ａ，２Ｂ        突き刺し部、２Ａ  一方の刃、２Ｂ  他方の刃、
３                肥料容器（ペットボトル）、３ａ 連結部、
４                筒状本体、４ａ  中空内部、
６ａ，６ｂ        操作部、
７，７Ｂ，７Ｃ    調節弁、
８，８ａ，８ｂ    操作ワイヤや操作バーなどの連係動作手段（リンク機構）、
９                連結部材
【図１】
2016136874.tif 000003
【図２】
2016136874.tif 000004
【図３】
2016136874.tif 000005
【図４】
2016136874.tif 000006
【図５】
2016136874.tif 000007
【図６】
2016136874.tif 000008
【図７】
2016136874.tif 000009
【図８】
2016136874.tif 000010
【図９】
2016136874.tif 000011